(57)【要約】      （修正有）【課題】掴みやすく扱いやすく、親しみやすく興味をそそり、隠しゲームにおいて隠す品物としてふさわしい性質（配置の適度の制約と自由度、周囲の器物（磁気ディスク等や表面）の保護）を有する磁石およびぬいぐるみを提供する。【解決手段】円錐、竹の子状、又は釣鐘状のぬいぐるみ１は、弾力性および軽量のための綿１１、表面の生地１２、吸着用磁石１３、保護とデザインのための別色フェルト生地１４を備えてなる。底のフェルト生地１４のかわりに又はこれに加えてマジックテープや吸盤や再貼付可能なのり素材を（あるいは組み合わせて）同様の形態で用いることができる。おぼえもんに似たより単純な形態の人形でも明らかに可能であり、またより複雑な形態の人形（たとえば小さい手などがある）でもやや安定性や掴みにくさは失われるが同様の効果が期待できる。【選択図】図１
0003116387.tif 000002
【実用新案登録請求の範囲】
【請求項１】
ボディが円錐、竹の子状または釣鐘状であるぬいぐるみの底に磁石を備えたことを特徴とするぬいぐるみ。
【請求項２】
前記磁石をぬいぐるみに埋め込んでおり、該磁石が円形の部分を有し、該円形の部分により、前記ぬいぐるみの底の形状を支えるようにした、請求項１に記載のぬいぐるみ。
【請求項３】
ボディが円錐、竹の子状または釣鐘状であるぬいぐるみの外底に付着素材（マジックテープ、吸盤、再貼付可能のり等）を備えたことを特徴とする、請求項１又は２に記載のぬいぐるみ。
【請求項４】
円錐、竹の子状または釣鐘状に形成した軽量な持ち手を吸着用磁石の吸着面の反対側に備えたことを特徴とする磁石。
【請求項５】
前記持ち手が十分な弾力性を有するようにしたことを特徴とする請求項４に記載の磁石。
【考案の詳細な説明】
【技術分野】
【０００１】
本考案は、吸着性を有するぬいぐるみ、および書類等を吸着したりホワイトボード等で自分の居場所を示す磁石に関するものである。また、特に、美的かつ用途的特長を有する玩具ないしインテリア用品に関する。また、特に隠し役が品物を隠しては別の見つけ役が見つける遊びに用いる品物ないし遊具に関するものである。
【背景技術】
【０００２】
従来のオフィス用磁石は、硬く、背が低いため、書類などをはさむ吸着用として掴んだりする際に落として割れないか注意が必要であり、扱いにくかった。
【０００３】
また、品物隠しゲームにおいては、オフィス用磁石はそもそも使用されなかった。体積による制約がなく小さすぎるためどこにでも入りすぎ、しかも形におくゆきや弾力感、擬人化しやすい部分がないため、体積、弾力、顔かたちのある人間のかくれんぼを連想させることからおこる興味、かわいさ、おかしさ、おもしろさを味わうことができず、磁石と直接接することにより、隠した場所付近の磁気ディスクなどが破損される可能性もあったためと思われる。
【０００４】
このため、せっかく、スチール机等の底や横面に接して隠せるという特長を十分に生かした隠しゲームをすることができなかった。
【考案の開示】
【考案が解決しようとする課題】
【０００５】
したがって、本考案は、磁石としての扱いにくさを解消し、かつ又は、玩具としてのおもしろみ、美的感覚、ゲーム性のなさを解消した、新しい磁石又は玩具を提供することを目的とする。
【課題を解決するための手段】
【０００６】
本考案は、ボディが円錐、竹の子状または釣鐘状であるぬいぐるみの底に磁石を備えたことをもっとも主要な特徴とする。
【０００７】
これにより、握りやすく、愛らしい形状でありながら、スチールの下や横にも自由に配置して、隠しゲームの対象にしたり、あるいは（壁に垂直に立つ意外性や竹の子を連想させる生物的な形態を）鑑賞したりすることが可能となる。
【０００８】
本考案ではまた、前記磁石をぬいぐるみに埋め込んでおり、該磁石が円形の部分を有し、該円形の部分により、前記ぬいぐるみの底の形状を支えるようにすることが有利である。
【０００９】
これにより、磁石が直接触れるのを防ぎ、隠した近くの磁気ディスクの情報や器物の表面を破損するのを防ぐことができる。また、各ゲームにおいて隠した場所からの音、素材の音がしにくくなる。また、底の形状の形成工程・部品が簡易になり省略することができる。
【００１０】
また、ボディが円錐、竹の子状または釣鐘状であるぬいぐるみの外底に付着素材（マジックテープ、吸盤、再貼付可能のり等）を備えるようにすることもできる。
【００１１】
これにより、それぞれの形のぬいぐるみをより多様な環境下で自然に美的に立たせてしかも安定させて配置することが可能になり、ゲームの興味がまし、鑑賞用等におくための空間の制約もなくなる。
【００１２】
また、本考案は、円錐、竹の子状または釣鐘状に形成した軽量な持ち手を吸着用磁石の吸着面の反対側に備えたことを特徴とする磁石を提供する。
【００１３】
これによりもちやすさと吸着の安定を両立させることができる。
【００１４】
また、持ち手が十分な弾力性を有するようにすることができる。
【００１５】
これにより、親しみやすさやかわいらしさが増し、すばやく掴んでも落ちにくくなる。
【考案の効果】
【００１６】
以上説明したように本考案のぬいぐるみないし磁石は、掴みやすく扱いやすく、親しみやすく興味をそそり、隠しゲームにおいて隠す品物としてふさわしい性質（配置の適度の制約と自由度、周囲の器物（磁気ディスク等や表面）の保護）を有するものとなっている。
【考案を実施するための最良の形態】
【００１７】
図１のように、当社の覚えるスクリーンセーバーのマスコットキャラクター「おぼえもん」（ＣＯＰＹＲＩＧＨＴ１９９９〜２００５）をモチーフにした、携帯電話ストラップ人形大（高さ５ｃｍ程度）のぬいぐるみ（図１の１）の、黄色フェルト生地（１２）でつつまれた綿（１１）の底にコイン状のフェライト磁石（１３、厚さ３ｍｍ〜５ｍｍ、直径１５ｍｍ〜３０ｍｍ）を接着材により配置し、その底をより厚いフェルト生地（１４）を被せて固定することで実現した。また、頭頂部に解かし梳かした黄色の紐をぬいつけてある。
【実施例１】
【００１８】
図１は、本考案の１実施例の「おぼえもん」ぬいぐるみ１の断面図であって、１１は弾力性および軽量のための綿、１２は表面の生地、１３は吸着用磁石、１４は上記保護とデザインのための別色フェルト生地である。
【００１９】
また、図２から図１５にかけて、実施例、用途（事務所内での隠しゲーム、書類はさみ、時間・場所指定等）を示す。
なお、別の実施例では、底のフェルト生地１４に加えて、又は換えて、マジックテープ、吸盤、再貼付可能なのり素材等を１つ以上組み合わせて用いることもできる。おぼえもんに似たより単純な形態の人形でも明らかに可能であり、またより複雑な形態の人形（たとえば小さい手などがある）でも、やや安定性や掴みにくさは失われるが同様の効果が期待できる。また、携帯電話ストラップ等用の紐をつけることにより、鑑賞用またはゲームにおいてつるして配置することもできる。
【図面の簡単な説明】
【００２０】
【図１】本考案の一実施例の断面図である。
【図２】本考案の一実施例の正面図である。
【図３】本考案の一実施例の左側面図である。
【図４】本考案の一実施例の背面図である。
【図５】本考案の一実施例の右側面図である。
【図６】本考案の一実施例を上から見た図である。
【図７】本考案の一実施例を底から見た図である。
【図８】本考案の一実施例を斜め上から見た図である。
【図９】本考案の一実施例であり、鑑賞用にキャビネットの横に水平に立てて配置した図である。
【図１０】本考案の一実施例であり、隠しゲームにおいてキャビネットの中にこうもり状に立てて配置した図である。
【図１１】本考案の一実施例であり、隠しゲームにおいて応接机のスチールフレームの下にこうもり状に立てて配置した図である。
【図１２】本考案の一実施例であり、隠しゲーム又は鑑賞用でなにげなくお茶のかわりに立てておいた図である。
【図１３】本考案の一実施例であり、納期などの大事な日を示すために日程ボードに美的にたてて配置した図である。
【図１４】本考案の一実施例であり、すぐに使う書類をはさんで固定しておいた図である。
【符号の説明】
【００２１】
１    ぬいぐるみ（３ｃｍ〜１５ｃｍ程度）
１１    綿
１２    生地（明るい黄色、ただし、黒染料で目と口の形状、赤染料で頬紅、白染料で目の中の反射を描いている）
１３    吸着用磁石
１４    底（保護用、補助吸着用、茶等の土色）
【図１】
0003116387.tif 000003
【図２】
0003116387.tif 000004
【図３】
0003116387.tif 000005
【図４】
0003116387.tif 000006
【図５】
0003116387.tif 000007
【図６】
0003116387.tif 000008
【図７】
0003116387.tif 000009
【図８】
0003116387.tif 000010
【図９】
0003116387.tif 000011
【図１０】
0003116387.tif 000012
【図１１】
0003116387.tif 000013
【図１２】
0003116387.tif 000014
【図１３】
0003116387.tif 000015
【図１４】
0003116387.tif 000016
【手続補正書】
【提出日】平成17年9月5日(2005.9.5)
【手続補正１】
【補正対象書類名】実用新案登録請求の範囲
【補正対象項目名】請求項３
【補正方法】変更
【補正の内容】
【請求項３】
ボディが円錐、竹の子状または釣鐘状であるぬいぐるみの外底に付着素材を備えたことを特徴とする、請求項１又は２に記載のぬいぐるみ。
【手続補正２】
【補正対象書類名】実用新案登録請求の範囲
【補正対象項目名】請求項４
【補正方法】変更
【補正の内容】
【請求項４】
円錐、竹の子状または釣鐘状に形成した軽量な持ち手として、吸着用磁石の吸着面の反対側に備えられたぬいぐるみ。
【手続補正３】
【補正対象書類名】実用新案登録請求の範囲
【補正対象項目名】請求項５
【補正方法】変更
【補正の内容】
【請求項５】
前記持ち手として十分な弾力性を有するようにしたことを特徴とする請求項４に記載のぬいぐるみ。
【手続補正４】
【補正対象書類名】明細書
【補正対象項目名】００１０
【補正方法】変更
【補正の内容】
【００１０】
また、ボディが円錐、竹の子状または釣鐘状であるぬいぐるみの外底に付着素材（面ファスナー、吸盤、再貼付可能のり等）を備えるようにすることもできる。